(57)【特許請求の範囲】
【請求項１】
被写体像を撮影する撮影部と、
前記被写体像を観察可能とし、かつ視度値が可変であるファインダ部と、
前記視度値の設定操作を可能とする視度設定操作部と、
前記視度設定操作部によって設定された前記視度値毎に、前記視度設定操作部による設定回数をカウントして記憶する設定回数記憶部と、
前記撮影部の撮影機能を設定可能とする設定画面を表示する表示部と、
前記視度設定操作部によって前記視度値が設定された場合に、前記設定回数記憶部に記憶された前記設定回数に応じて、前記設定画面を変更する設定画面変更部と、
を備えた撮影装置。
【請求項２】
前記設定回数記憶部に記憶された前記設定回数に基づき、時間に対する設定回数を表す設定頻度を算出する設定頻度算出部を備え、
前記設定画面変更部は、前記視度設定操作部によって前記視度値が設定され、かつ前記設定頻度算出部により算出された前記設定頻度が所定値未満である場合に、前記設定画面を変更する請求項１記載の撮影装置。
【請求項３】
前記設定画面変更部は、前記視度設定操作部によって設定された前記視度値が前記視度設定操作部により設定可能な範囲のうち、視度値が＋４ディオプター以上の特定範囲であって、かつ前記設定頻度が所定値未満である場合に、前記表示部による前記設定画面の表示を消去させる請求項２記載の撮影装置。
【請求項４】
前記撮影部の撮影機能を音声でガイドする音声ガイド部を備え、
前記設定画面変更部は、前記視度設定操作部によって設定された前記視度値が前記特定範囲であって、かつ前記設定頻度が所定値未満の場合、前記音声ガイド部を機能させる請求項３記載の撮影装置。
【請求項５】
前記設定画面変更部は、前記視度設定操作部によって設定された前記視度値が前記視度設定操作部により設定可能な範囲のうち、視度値が＋４ディオプター以上の特定範囲であって、かつ前記設定頻度が所定値未満である場合に、前記設定画面として表示する情報を変更前よりも少ない文字数、かつ変更前よりも大きく表示する請求項２記載の撮影装置。
【請求項６】
前記設定画面変更部は、前記視度設定操作部によって設定された前記視度値が前記視度設定操作部により設定可能な範囲のうち、視度値が＋４ディオプター以上の特定範囲であって、かつ前記設定頻度が所定値未満である場合に、前記設定画面として表示する内容を文字情報からアイコンに変更する請求項２記載の撮影装置。
【請求項７】
前記設定画面変更部は、前記視度設定操作部によって設定された前記視度値が前記視度設定操作部により設定可能な範囲のうち、視度値が＋４ディオプター以上の特定範囲であって、かつ前記設定頻度が所定値未満である場合に、前記設定画面として表示する内容を前記撮影部による撮影画像に施すフィルタ処理に関する文字情報から、前記フィルタ処理に対応するサンプル画像の表示に変更する請求項２記載の撮影装置。
【請求項８】
前記設定画面変更部は、前記視度設定操作部によって設定された前記視度値が前記視度設定操作部により設定可能な範囲のうち、視度値が＋４ディオプター以上の特定範囲であって、かつ前記設定頻度が所定値未満である場合に、前記設定画面に基づき設定された設定項目および設定値を変更前よりも拡大して表示する請求項２記載の撮影装置。
【請求項９】
前記設定画面変更部は、前記視度設定操作部によって設定された前記視度値が前記特定範囲であって、かつ前記設定頻度が所定値未満である場合に、前記設定画面に基づき設定された前記撮影機能とは異なる撮影機能に対応する操作入力が行われた際、注意喚起を促す表示を行わせる請求項３〜８のいずれか１項記載の撮影装置。
【請求項１０】
前記設定画面変更部は、前記視度設定操作部によって設定された前記視度値が前記特定範囲であって、かつ前記設定頻度が所定値未満である場合に、マニュアルフォーカス操作を行う際、前記撮影部で撮影された被写体像を前記表示部に表示させ、前記被写体像においてフォーカスが合っている部分の輪郭をフォーカスが合っていない部分の輪郭に対して太く表示させる請求項３〜８のいずれか１項記載の撮影装置。
【請求項１１】
前記表示部は、前記視度設定操作部によって設定された複数の視度値、および前記視度値毎の前記設定回数に基づく使用頻度を確認する確認画面を表示する請求項３〜１０のいずれか１項記載の撮影装置。
【発明の詳細な説明】
【技術分野】
【０００１】
本発明は、視度値が可変であるファインダ部を有する撮影装置に関するものである。
【背景技術】
【０００２】
デジタルカメラ等の撮影装置には、高品質な画像を撮影するために、様々な撮影機能を有しているものがある。このような撮影装置では、表示部に設定画面を表示し、この設定画面に基づいて撮影機能を設定可能とすることが一般的である。【０００３】
デジタルカメラには、設定画面等を表示するためにカメラ本体の背面に設けられた背面表示部の他に、覗き込むようにして被写体像を確認するためのファインダ部を備えていることが一般的である。ファインダ部としては、電子ビューファインダやハイブリッドビューファインダが知られている。ハイブリッドビューファインダは、光学ファインダモードと電子ビューファインダモードとを有し、両者を切り替え可能とする。【０００４】
一方、視度値の設定操作を可能とする視度設定操作部を備え、撮影者の視力に合わせてファインダ部の視度値を可変とする撮影装置が知られている。特許文献１、２には、撮影者が視度設定操作部を調節することにより視度調節用レンズを移動させてファインダ部の視度値を可変させる撮影装置が開示されている。この撮影装置では、視度設定操作部によって設定されたファインダ部の視度値が遠視側の場合、背面表示部に表示される画像や文字の表示サイズを大きくする。
【先行技術文献】
【特許文献】
【０００５】
【特許文献１】特開２００３−３４４９２９号公報
【特許文献２】特開２０１０−２２６１９３号公報
【発明の概要】
【発明が解決しようとする課題】
【０００６】
しかしながら、上記特許文献１、２に記載された撮影装置では、ファインダ部が撮影者の視力に合っていない視度値に設定されている場合、背面表示部の表示内容が撮影者の視力に合わない場合がある。特に、撮影者の視力が遠視ではない場合に、視度設定操作部によって設定されたファインダ部の視度値が遠視側に設定されていると、上記特許文献１、２に記載された撮影装置では、画像や文字の表示サイズが大きく表示部に表示されるため、撮影者が見づらく、使い勝手が良くない。【０００７】
本発明は、撮影者の視力に合わせて設定画面の表示内容を適切に変更することができる撮影装置を提供することを目的とする。
【課題を解決するための手段】
【０００８】
本発明の撮影装置は、撮影部と、ファインダ部と、視度設定操作部と、設定回数記憶部と、表示部と、設定画面変更部と、を備えている。撮影部は、被写体像を撮影すると、ファインダ部は、被写体像を観察可能とし、かつ視度値が可変である。視度設定操作部は、視度値の設定操作を可能とする。設定回数記憶部は、視度設定操作部によって設定された視度値毎に、視度設定操作部による設定回数をカウントして記憶する。表示部は、撮影部の撮影機能を設定可能とする設定画面を表示する。設定画面変更部は、視度設定操作部によって視度値が設定された場合に、設定回数記憶部に記憶された設定回数に応じて、設定画面を変更する。【０００９】
設定回数記憶部に記憶された設定回数に基づき、時間に対する設定回数を表す設定頻度を算出する設定頻度算出部を備え、設定画面変更部は、視度設定操作部によって視度値が設定され、かつ設定頻度算出部により算出された設定頻度が所定値未満である場合に、設定画面を変更することが好ましい。【００１０】
設定画面変更部は、視度設定操作部によって設定された視度値が視度設定操作部により設定可能な範囲のうち、視度値が＋４ディオプター以上の特定範囲であって、かつ設定頻度が所定値未満である場合に、表示部による設定画面の表示を消去させることが好ましい。【００１１】
撮影部の撮影機能を音声でガイドする音声ガイド部を備え、設定画面変更部は、視度設定操作部によって設定された視度値が特定範囲であって、かつ設定頻度が所定値未満の場合、音声ガイド部を機能させることが好ましい。【００１２】
設定画面変更部は、視度設定操作部によって設定された視度値が視度設定操作部により設定可能な範囲のうち、視度値が＋４ディオプター以上の特定範囲であって、かつ設定頻度が所定値未満である場合に、設定画面として表示する情報を変更前よりも少ない文字数、かつ変更前よりも大きく表示することが好ましい。【００１３】
設定画面変更部は、視度設定操作部によって設定された視度値が視度設定操作部により設定可能な範囲のうち、視度値が＋４ディオプター以上の特定範囲であって、かつ設定頻度が所定値未満である場合に、設定画面として表示する内容を文字情報からアイコンに変更することが好ましい。【００１４】
設定画面変更部は、視度設定操作部によって設定された視度値が視度設定操作部により設定可能な範囲のうち、視度値が＋４ディオプター以上の特定範囲であって、かつ設定頻度が所定値未満である場合に、設定画面として表示する内容を撮影部による撮影画像に施すフィルタ処理に関する文字情報から、フィルタ処理に対応するサンプル画像の表示に変更することが好ましい。【００１５】
設定画面変更部は、視度設定操作部によって設定された視度値が視度設定操作部により設定可能な範囲のうち、視度値が＋４ディオプター以上の特定範囲であって、かつ設定頻度が所定値未満である場合に、設定画面に基づき設定された設定項目および設定値を変更前よりも拡大して表示することが好ましい。【００１６】
設定画面変更部は、視度設定操作部によって設定された視度値が特定範囲であって、かつ設定頻度が所定値未満である場合に、設定画面に基づき設定された撮影機能とは異なる撮影機能に対応する操作入力が行われた際、注意喚起を促す表示を行わせることが好ましい。【００１７】
設定画面変更部は、視度設定操作部によって設定された視度値が特定範囲であって、かつ設定頻度が所定値未満である場合に、マニュアルフォーカス操作を行う際、撮影部で撮影された被写体像を表示部に表示させ、被写体像においてフォーカスが合っている部分の輪郭をフォーカスが合っていない部分の輪郭に対して太く表示させることが好ましい。【００１８】
表示部は、視度設定操作部によって設定された複数の視度値、および視度値毎の設定回数に基づく使用頻度を確認する確認画面を表示することが好ましい。
【発明の効果】
【００１９】
本発明によれば、撮影者の視力に合わせて設定画面の表示内容を適切に変更することができる。
【図面の簡単な説明】
【００２０】
【図１】レンズ交換式デジタルカメラの正面側外観斜視図である。
【図２】交換レンズおよびカメラ本体の外観斜視図である。
【図３】レンズ交換式デジタルカメラの背面側外観斜視図である。
【図４】レンズ交換式デジタルカメラの構成を示すブロック図である。
【図５】設定回数記憶部に視度値毎の設定回数をカウントして記憶する構成を説明する概略図である。
【図６】設定画面の一例を示す表示画面の説明図である。
【図７】設定画面を変更する際の処理を説明するフローチャートである。
【図８】第１実施形態の変形例の構成を示すブロック図である。
【図９】第１実施形態の変形例で設定画面を変更する際の処理を説明するフローチャートである。
【図１０】第２実施形態で設定画面を変更する例を示す説明図である。
【図１１】第３実施形態で設定画面を変更する例を示す説明図である。
【図１２】第４実施形態で設定画面を変更する例を示す説明図である。
【図１３】第５実施形態で設定画面を変更する例を示す説明図である。
【図１４】第６実施形態で設定画面を変更する例を示す説明図である。
【図１５】第７実施形態で設定画面を変更する例を示す説明図である。
【図１６】第８実施形態で確認画面を表示する例を示す説明図である。
【図１７】第８実施形態で確認画面を表示する別の例を示す説明図である。
【発明を実施するための形態】
【００２１】
［第１実施形態］
図１および図２において、レンズ交換式デジタルカメラ（以下、カメラと称する）１０は、カメラ本体１１と、交換レンズ１２とを備える。カメラ１０は、いわゆるミラーレス一眼タイプのデジタルカメラである。
【００２２】
カメラ本体１１は、その上面に電源レバー１３、レリーズスイッチ１４、露出補正ダイヤル１５、シャッタスピード／ＩＳＯ感度ダイヤル１６、内蔵型フラッシュ装置１７などを備える。
【００２３】
レリーズスイッチ１４は、いわゆる「半押し」と「全押し」とを可能とする２段ストローク式のスイッチである。レリーズスイッチ１４は、半押しされることによってＳ１オンの信号を出力し、半押しから更に押し込む全押しが行われることによってＳ２オンの信号を出力する。カメラ１０は、レリーズスイッチ１４からＳ１オン信号が出力されると自動焦点調節（ＡＦ（Auto Focus）処理）や自動露出制御などの撮影準備処理を実行し、Ｓ２オン信号が出力されると撮影処理を実行する。内蔵型フラッシュ装置１７は、例えば、フラッシュレバー１８を操作することでカバーが開放し、発光部を露呈させる。
【００２４】
カメラ本体１１の前面には、マウント１９が設けられている。マウント１９は、交換レンズ１２が取り付けられる。マウント１９の内部には、交換レンズ１２と電気的に接続するためのボディ側信号接点１９Ａと、固体撮像素子２１とが設けられている。
【００２５】
図３に示すように、カメラ本体１１の背面には、背面表示部２２と、複数の操作ボタン２３と、ファインダ部２４などが設けられている。背面表示部２２は、本発明の表示部に相当し、ライブビュー画像の表示、撮影済み画像の再生、および設定画面の表示などに用いられる。複数の操作ボタン２３は、各種設定操作などに用いられる。背面表示部２２は、例えばＬＣＤパネルで構成されている。
【００２６】
ファインダ部２４は、電子ビューファインダであり、ファインダ接眼窓２４Ｂの奥に配置したＬＣＤからなるＥＶＦ（Electronic View Finder）パネル６１（図４参照）に、固体撮像素子２１で撮像した被写体像であるライブビュー画像が表示される。ファインダ接眼窓２４Ｂは、撮影者の眼が接眼される。
【００２７】
撮影者は、ファインダ接眼窓２４Ｂを介してＥＶＦパネル６１に表示された被写体像を観察することができる。ファインダ部２４には、視度調節ダイヤル２４Ａが設けられている。視度調節ダイヤル２４Ａは、ファインダ部２４における視度値の設定操作を可能とする視度設定操作部である。視度調節ダイヤル２４Ａは、後述する視度調節機構６４を駆動させてファインダ部２４の視度値を可変させる。
【００２８】
図２に示すように、交換レンズ１２は、鏡筒部２５、撮影光学系２６、フォーカスリング２７、絞り操作リング２８、ズームリング２９、レンズマウント３０などを備える。鏡筒部２５は、円筒形状で内部に撮影光学系２６を収納し、後端にレンズマウント３０が設けられている。撮影光学系２６は、交換レンズ１２がカメラ本体１１に装着された場合、固体撮像素子２１に被写体光を結像する。固体撮像素子２１は、交換レンズ１２から射出された光を撮像する。
【００２９】
レンズマウント３０は、カメラ本体１１のマウント１９に着脱自在に結合される。レンズマウント３０には、レンズ側信号接点３０Ａが設けられている。レンズ側信号接点３０Ａは、交換レンズ１２のレンズマウント３０がカメラ本体１１のマウントに結合された際にボディ側信号接点１９Ａと接触し、交換レンズ１２とカメラ本体１１とを電気的に接続する。
【００３０】
図４に示すように、交換レンズ１２は、撮影光学系２６、フォーカスリング２７、絞り操作リング２８などの他、レンズ制御部３１、モータドライバ３２，モータ３３，３４、ズーム機構３６、およびセンサ３７，３８などを備える。
【００３１】
レンズ制御部３１は、ＣＰＵ（Central Processing Unit）と、このＣＰＵで使用されるプログラムやパラメータを記憶したＲＯＭ（Read Only Memory）と、ＣＰＵのワークメモリとして使用されるＲＡＭ（Random Access Memory）（いずれも図示せず）などを備えたマイクロコンピュータからなり、交換レンズ１２の各部を制御する。レンズ制御部３１には、モータドライバ３２、およびセンサ３７，３８が接続されている。
【００３２】
撮影光学系２６は、フォーカスレンズ３９、変倍レンズ４０を含む複数のレンズ、絞りユニット４１などを備える。フォーカスレンズ３９は、モータ３３の駆動により光軸Ｌの方向に移動し、撮影距離を調節する。絞りユニット４１は、モータ３４の駆動により複数枚の絞り羽根４１ａを移動させ、固体撮像素子２１への入射光量を変化させる。モータドライバ３２は、レンズ制御部３１の制御に基づき、モータ３３，３４の駆動を制御する。
【００３３】
ズーム機構３６は、ズームリング２９の回転動作を直線移動に変換して変倍レンズ４０を移動させるマニュアルズーム機構である。変倍レンズ４０は、ズーム機構３６の駆動により光軸Ｌ方向に移動し、画角を変更する。
【００３４】
カメラ本体１１は、上述したレリーズスイッチ１４、固体撮像素子２１、背面表示部２２、およびＥＶＦパネル６１の他、本体制御部５０、シャッタユニット５１、モータドライバ５２、画像メモリ５３、画像データ処理部５４、ＡＦ処理部５５、ＬＣＤドライバ５６、およびカードＩ／Ｆ（Interface）５７、視度値検出部５８、設定回数記憶部５９などを有し、これらはバスライン６０により接続されている。
【００３５】
本体制御部５０は、ＣＰＵと、このＣＰＵで使用されるプログラムやパラメータを記憶したＲＯＭと、ＣＰＵのワークメモリとして使用されるＲＡＭ（いずれも図示せず）などを備えている。本体制御部５０は、カメラ本体１１と、カメラ本体１１に接続された交換レンズ１２の各部を制御する。本体制御部５０には、レリーズスイッチ１４からＳ１信号およびＳ２信号が入力される。また、本体制御部５０には、ボディ側信号接点１９Ａが接続されている。
【００３６】
本体制御部５０は、レンズ制御部３１が検出するフォーカスリング２７の回転方向および回転量の情報に応じてフォーカスレンズ３９を移動させる制御信号をレンズ制御部３１に送信する。レンズ制御部３１は、制御信号に基づいてモータドライバ３２を制御し、フォーカスレンズ３９を移動させる。
【００３７】
本体制御部５０は、レンズ制御部３１が検出する絞り操作リング２８の回転位置の情報に応じて絞りユニット４１を動作させ、絞り径を変更するための制御信号をレンズ制御部３１に送信する。レンズ制御部３１は、本体制御部５０からの制御信号に基づいてモータドライバ３２を制御し、絞り操作リング２８の回転位置に対応する絞り値が得られるように絞りユニット４１の絞り径を制御する。
【００３８】
シャッタユニット５１は、いわゆるフォーカルプレーンシャッターであり、マウント１９と固体撮像素子２１との間に配置されている。シャッタユニット５１は、撮影光学系２６と固体撮像素子２１との間の光路を遮断可能に設けられており、開口状態と閉口状態との間で変化する。シャッタユニット５１は、ライブビュー画像および動画撮影時に開口状態とされる。シャッタユニット５１は、静止画撮影時には、開口状態から一時的に閉口状態になる。このシャッタユニット５１は、シャッタモータ６２により駆動される。モータドライバ５２は、シャッタモータ６２の駆動を制御する。
【００３９】
固体撮像素子２１は、本体制御部５０により駆動制御される。固体撮像素子２１は、シャッタユニット５１、画像データ処理部５４などとともに撮影部を構成する。撮影部は、マウント１９に交換レンズ１２が装着された状態で撮影を行う。固体撮像素子２１は、例えば、ＣＭＯＳ型イメージセンサであり、２次元マトリクス状に配列された複数の画素（図示せず）により構成された受光面を有している。各画素は、光電変換素子を含んでおり、交換レンズ１２により受光面に結像された被写体像を光電変換して撮像信号を生成する。また、固体撮像素子２１は、電子シャッタ機能を有しており、シャッタ速度（電荷蓄積時間）が調整可能である。
【００４０】
また、固体撮像素子２１は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子２１からバスライン６０に出力する。固体撮像素子２１の出力信号は、画素ごとに１つの色信号を有する画像データ（いわゆるＲＡＷデータ）である。
【００４１】
画像メモリ５３は、バスライン６０に出力された１フレーム分の画像データを格納する。画像データ処理部５４は、画像メモリ５３から１フレーム分の画像データを読み出し、マトリクス演算、デモザイク処理、γ補正、輝度・色差変換、リサイズ処理などの公知の画像処理を施す。
【００４２】
ＬＣＤドライバ５６は、画像データ処理部５４で画像処理された１フレーム分の画像データを順次に背面表示部２２に入力する。背面表示部２２は、ライブビュー画像を一定の周期で順次に表示する。カードＩ／Ｆ５７は、カメラ本体１１に設けられたカードスロット（図示せず）内に組み込まれており、カードスロットに挿入されたメモリカード６３と電気的に接続する。カードＩ／Ｆ５７は、画像データ処理部５４で画像処理された画像データをメモリカード６３に格納する。また、メモリカード６３に格納されている画像データを再生表示する際には、カードＩ／Ｆ５７は、メモリカード６３から画像データを読み出す。
【００４３】
ファインダ部２４には、ＥＶＦパネル６１および視度調節ダイヤル２４Ａの他に、視度調節機構６４、および視度調節用レンズ６５を備えている。視度調節用レンズ６５は、ファインダ接眼窓２４ＢとＥＶＦパネル６１の間に配置される。視度調節機構６４は、視度調節ダイヤル２４Ａの回動操作に連動して視度調節用レンズ６５を光軸方向に移動させることによって視度値を調節する。なお、ここでいう視度値とは、視力が近視側である場合に適用する視度値がマイナス側、視力が遠視側である場合に適用する視度度がプラス側、視力が遠視でも近視でもなく正常な場合は０であり、単位としてディオプターを用いる。視度値がマイナス側の場合、近視を補正する方向に視度調節用レンズ６５を移動させ、視度値がプラス側の場合、遠視を補正する方向に視度調節用レンズ６５を移動させる。
【００４４】
視度値検出部５８は、ファインダ部２４の視度値が設定された場合に、ファインダ部２４の視度値を検出する。なお、視度値検出部５８は、視度調節ダイヤル２４Ａによって視度値が選択された後、所定時間が経過したことを条件としてファインダ部２４で視度値が設定された状態とする。
【００４５】
図５に示すように、本体制御部５０は、視度調整ダイヤル２５によって設定されたファインダ部２４の視度値毎に、視度調整ダイヤル２５による設定回数をカウントして設定回数記憶部５９に記憶させる。設定回数記憶部５９は、例えばＥＥＰＲＯＭ（Electrically Erasable Programmable Read-Only Memory）などの不揮発性メモリから構成される。
【００４６】
図５に示す例では、視度調整ダイヤル２５により設定可能な視度値の範囲である−４ディオプター〜＋６ディオプターの範囲内で、視度調整ダイヤル２５による設定回数をカウントして設定回数記憶部５９に記憶されている。
【００４７】
操作ボタン２３の操作により撮影モードまたは設定モードが選択された場合、本体制御部５０は、ＬＣＤドライバ５６を駆動制御して背面表示部２２に設定画面を表示させる。この設定画面は、固体撮像素子２１、シャッタユニット５１、画像データ処理部５４などからなる撮影部の撮影機能を設定可能とする。
【００４８】
本体制御部５０は、設定画面変更部として機能する。具体的には、本体制御部５０は、視度調整ダイヤル２５によってファインダ部２４の視度値が設定された場合に、設定回数記憶部５９に記憶された設定回数に応じて、設定画面を変更する。
【００４９】
さらに、本体制御部５０は、設定回数記憶部５９に記憶された設定回数に基づき、時間に対する設定回数を表す設定頻度を算出する設定頻度算出部として機能する。この設定頻度としては、例えば、所定時間前から現在の時刻までに視度値が設定された設定回数、あるいは、最新の日付に変わってから現在の時刻までに視度値が設定された設定回数などである。本体制御部５０は、視度調整ダイヤル２５によってファインダ部２４の視度値が設定され、かつ設定回数記憶部５９に記憶された設定回数に基づき算出された設定頻度が所定値未満である場合に、設定画面を変更する。
【００５０】
さらに、本実施形態では、本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、背面表示部２２による設定画面の表示を消去させる。
【００５１】
図６は、背面表示部２２に表示される設定画面の一例であり、撮影モード下で表示される設定画面Ｄ１を示している。この設定画面Ｄ１では、被写体表示エリアＥＳと設定表示エリアＥＣとが設定されている。設定表示エリアＥＣには、シャッタスピード、絞り値、露出補正値、ＩＳＯ感度などの複数の設定項目が表示される。被写体表示エリアＥＳは、ライブビュー画像が観察可能な領域である。
【００５２】
設定画面Ｄ１に基づき、撮影機能を設定する場合、例えば、シャッタスピード／ＩＳＯ感度ダイヤル１６を操作することによりシャッタスピードを設定することができる。符号７１は、シャッタスピード／ＩＳＯ感度ダイヤル１６の操作で設定されたシャッタスピードを示す。
【００５３】
絞り値を設定する場合は、上述したように絞り操作リング２８を操作する。符号７２は、絞り操作リング２８の操作で設定された絞り値を示す。また、露出補正値を設定する場合は、露出補正ダイヤル１５を操作する。符号７３Ａは、露出補正用の目盛りである。露出補正ダイヤル１５の操作に応じて指標７３Ｂが目盛り７３Ａ上を移動する。これにより、露出補正ダイヤル１５で設定された露出補正値を示す。ＩＳＯ感度を設定する場合は、シャッタスピード／ＩＳＯ感度ダイヤル１６を操作する。符号７４は、シャッタスピード／ＩＳＯ感度ダイヤル１６の操作で設定されたＩＳＯ感度を示す。
【００５４】
また、被写体表示エリアＥＳには、フォーカスエリアを示す枠７５、カメラ本体１１の傾きを表示する傾き表示線７６、日付、時刻、撮影可能枚数、撮影距離、被写界深度、シャッタ方式、動画モードなどの撮影情報が表示される。
【００５５】
ファインダ部２４の視度値が設定された場合に、設定回数記憶部５９に記憶された設定回数に基づき、設定画面を変更する処理手順について、図７に示すフローチャートに沿って説明する。なお、この図７に示す例では、ファインダ部２４の視度値が設定される前は、設定画面Ｄ１が表示される初期設定となっている。
【００５６】
カメラ１０が撮影モード下で、視度調整ダイヤル２５によって視度値が設定された場合（Ｓ１１でＹ）、本体制御部５０は、設定回数記憶部５９から視度値毎の設定回数を読み出す（Ｓ１２）。なお、視度値が設定されていない場合は（Ｓ１１でＮ）、設定画面を変更しない。すなわち、背面表示部２２に設定画面Ｄ１が表示されたままである（Ｓ１６）。
【００５７】
次に、読み出された視度値毎の設定回数から設定頻度を算出し（Ｓ１３）、設定頻度が所定値未満か否かを判定する（Ｓ１４）。設定頻度が所定値未満である場合（Ｓ１４でＹ）、設定された視度値が特定範囲である＋４ディオプター以上であるか否かの判定に進む（Ｓ１５）。なお、設定頻度が所定値以上ではない場合（Ｓ１４でＮ）、設定画面を変更しない（Ｓ１６）。
【００５８】
設定された視度値が＋４ディオプター以上である場合（Ｓ１５でＹ）、設定画面を変更する。本実施形態では、初期設定として背面表示部２２に表示される設定画面Ｄ１の表示を消去する（Ｓ１７）。一方、設定された視度値が＋４ディオプター未満の場合（Ｓ１５でＮ）、設定画面を変更しない（Ｓ１６）。
【００５９】
カメラ１０を使用する撮影者のうち、特に、視度値が＋４ディオプター以上である遠視の撮影者の場合、情報が見づらく、使い勝手の良くない設定画面Ｄ１の表示よりもファインダ部２４による被写体像の観察に集中することが好ましいため、上述したように、設定画面Ｄ１の表示を消去している。よって、カメラ１０は、撮影者の視力に合わせて設定画面の表示内容を適切に変更することができる。
【００６０】
一方、視度値の設定頻度が所定値以上である場合、例えば、メインの撮影者ではない他者などが頻繁にファインダ部２４の視度値を設定した場合は、設定画面Ｄ１の表示内容を変更する必要が無いため、設定画面Ｄ１を表示したままにしている。
【００６１】
上記第１実施形態の変形例として、設定画面を変更した場合、撮影部の撮影機能を音声でガイドする例を説明する。図８に示すように、この変形例では、カメラ本体１１は、音声ガイド部７８を備える。なお、第１実施形態と同一構成部品には同一符号を付して重複した説明を省略している。音声ガイド部７８は、スピーカ、および音声信号処理部などから構成される。
【００６２】
音声ガイド部７８は、撮影部の撮影機能を音声でガイドする。例えば、カメラ１０で設定されているシャッタスピード、絞り値、露出補正値、ＩＳＯ感度などについての情報を音声で撮影者に知らせる。
【００６３】
本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、背面表示部２２による設定画面の表示を消去させ、音声ガイド部７８を機能させる。
【００６４】
音声ガイド部７８を備える変形例の処理手順について、図９に示すフローチャートに沿って説明する。なお、この図９に示す例では、ファインダ部２４の視度値が設定される前は、設定画面Ｄ１が表示される初期設定となっている。
【００６５】
上記第１実施形態と同様に、カメラ１０が撮影モード下で、視度調整ダイヤル２５によって視度値が設定された場合（Ｓ１１でＹ）、本体制御部５０は、設定回数記憶部５９から視度値毎の設定回数を読み出し（Ｓ１２）、読み出した設定回数から設定頻度を算出し（Ｓ１３）、設定頻度が所定値未満か否かを判定する（Ｓ１４）。設定頻度が所定値未満である場合（Ｓ１４でＹ）、設定された視度値が特定範囲である＋４ディオプター以上であるか否かの判定に進む（Ｓ１５）。
【００６６】
設定された視度値が＋４ディオプター以上である場合（Ｓ１５でＹ）、本体制御部５０は、設定画面の変更、すなわち、背面表示部２２による設定画面Ｄ１の表示を消去し（Ｓ１７）、さらに音声ガイド部７８を機能させて音声ガイドを開始させる（Ｓ１８）。なお、Ｓ１１でＮ、Ｓ１４でＮ、Ｓ１５でＮの場合は、設定画面を変更せず（Ｓ１６）、音声ガイド部７８を機能させない。
【００６７】
以上のように、設定された視度値が特定範囲である場合、設定画面Ｄ１の表示を消去し、音声ガイド部７８を機能させているので、カメラ１０の撮影者、特に遠視の撮影者にとって使い勝手が良い。
【００６８】
［第２実施形態］
上記第１実施形態では、設定画面の変更として、背面表示部２２による設定画面Ｄ１の表示を消去させているが、これに限るものではなく、以下で説明する第２実施形態では、設定画面として表示する情報を変更前よりも少ない文字数、かつ変更前よりも大きく表示する。
【００６９】
図１０に示すように、本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、背面表示部２２による表示を設定画面Ｄ２１から設定画面Ｄ２２に変更する。
なお、本実施形態および以下の実施形態では、設定頻度が所定値未満か否かの判定、設定された視度値が特定範囲であるか否かの判定などの処理手順は、上記第１実施形態と同様である。
【００７０】
設定画面Ｄ２１、Ｄ２２は設定モード下において、顔検出／瞳ＡＦ設定を行うための選択候補が表示される設定メニューの一例である。設定画面Ｄ２１では、顔検出ＯＮ／瞳ＡＦ＿ＯＦＦ、顔検出ＯＮ／瞳ＡＦ＿ＯＮ、顔検出ＯＦＦ／瞳ＡＦ＿ＯＦＦなどの選択候補からなる顔検出／瞳ＡＦ設定の選択候補一覧が表示される。選択候補一覧から、操作ボタン２３などを操作することにより顔検出ＯＮ／瞳ＡＦ＿ＯＦＦを選択すると、人物の顔を検出し、顔にピントを合わせることができる。また、顔検出ＯＮ／瞳ＡＦ＿ＯＮを選択すると、人物の顔を検出し、目の位置にピントを合わせることができる。顔検出ＯＦＦ／瞳ＡＦ＿ＯＦＦを選択すると、顔検出を行わない。
【００７１】
背面表示部２２による表示が設定画面Ｄ２１から設定画面Ｄ２２に変更された場合、設定画面Ｄ２２では、変更前の設定画面Ｄ２１よりも少ない文字数、かつ変更前の設定画面Ｄ２１よりも大きく情報を表示する。すなわち、設定画面Ｄ２２では、「顔検出／瞳ＡＦ設定」を、「顔／瞳ＡＦ」とするように設定項目および全ての選択候補の文字数を短縮し、設定画面Ｄ２１よりも各文字を大きく表示している。
【００７２】
以上のように、設定された視度値が特定範囲である場合、変更前よりも少ない文字数、かつ変更前よりも大きく情報を表示しているので、カメラ１０の撮影者、特に遠視の撮影者は、表示内容が見易くなり使い勝手が良い。なお、設定画面の変更として、文字数、および大きさを変更する情報としては、上記に限らず、設定画面に表示される情報であればどのようなものでもよい。
【００７３】
［第３実施形態］
以下で説明する第３実施形態では、設定画面の変更として、設定画面に表示される内容を文字情報からアイコンに変更する。図１１に示すように、本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、背面表示部２２による表示を設定画面Ｄ３１から設定画面Ｄ３２に変更する。
【００７４】
設定画面Ｄ３１、Ｄ３２は設定モード下において、ＡＦモード設定を行うための選択候補が表示される設定メニューの一例である。設定画面Ｄ３１では、シングルポイント、ゾーン、トラッキングなどの選択候補からなるＡＦモード設定の選択候補一覧が表示される。選択候補一覧からシングルポイントを選択すると、図６に示すような、被写体表示エリアに対して範囲の狭いフォーカスエリアが設定される。また、ゾーンを選択すると、シングルポイントよりも広い範囲のフォーカスエリアが設定される。トラッキングを選択すると、ゾーンよりもさらに広い範囲のフォーカスエリアが設定され、レリーズスイッチ１４を半押ししている間は、被写体の動きに合わせてピントを合わせる。
【００７５】
上述したように、背面表示部２２による表示が設定画面Ｄ３１から設定画面Ｄ３２に変更された場合、設定画面Ｄ３２では、設定画面Ｄ３１で文字情報であったシングルポイント、ゾーン、トラッキングなどの選択候補をアイコンに変更している。各アイコンは、フォーカスエリアを表す形状、大きさにデザインされている。このため、カメラ１０の撮影者、特に遠視の撮影者は、表示内容が見易くなり使い勝手が良い。なお、設定画面の変更として、文字情報からアイコンに変更する情報としては、上記に限らず、設定画面に表示される情報であればどのようなものでもよい。
【００７６】
［第４実施形態］
以下で説明する第４実施形態では、設定画面の変更として、撮影画像に施すフィルタ処理に関する文字情報から、フィルタ処理に対応するサンプル画像に変更する。図１２に示すように、本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、背面表示部２２による表示を設定画面Ｄ４１から設定画面Ｄ４２に変更する。
【００７７】
設定画面Ｄ４１、Ｄ４２は設定モード下において、撮影部による撮影画像に施すフィルタ処理設定を行うための選択候補が表示される設定メニューの一例である。設定画面Ｄ４１では、ミニチュア、ソフトフォーカス、ダイナミックトーン、ポップアートなどの選択候補からなるフィルタ処理設定の選択候補一覧が文字情報で表示される。
【００７８】
選択候補一覧からミニチュアを選択すると、画像の周囲をぼかしてミニチュアを撮影したような処理を施す。また、ソフトフォーカスを選択すると、画像全体のぼけ量を調整して柔らかい雰囲気にする処理を施す。ダイナミックトーンを選択すると、画像のコントラストを高くしてダイナミックな雰囲気にする処理を施す。ポップアートを選択すると、画像の彩度を高くして絵画を撮影したような処理を施す。
【００７９】
上述したように、背面表示部２２による表示が設定画面Ｄ４１から設定画面Ｄ４２に変更された場合、設定画面Ｄ４２では、設定画面Ｄ４１でフィルタ処理に関する文字情報であったものを、各フィルタ処理に対応するサンプル画像の表示に変更している。すなわち、設定画面Ｄ４２におけるフィルタ１〜フィルタ４は、設定画面Ｄ４１におけるミニチュア、ソフトフォーカス、ダイナミックトーン、ポップアートに対応しており、フィルタ１〜フィルタ４のいずれか１つを選択すると、設定画面Ｄ４１内に各フィルタ処理に対応するサンプル画像ＳＰを表示する。このため、カメラ１０の撮影者、特に遠視の撮影者は、表示内容が見易くなり使い勝手が良い。なお、図１２に示す例では、１つサンプル画像を表示しているがこれに限らず、複数のサンプル画像を表示してもよい。
【００８０】
［第５実施形態］
以下で説明する第５実施形態では、設定画面の変更として、設定画面に基づき設定された設定項目および設定値を変更前よりも拡大して表示させる。図１３に示すように、本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、背面表示部２２による表示を設定画面Ｄ５１から設定画面Ｄ５２に変更する。
【００８１】
設定画面Ｄ５１、Ｄ５２は、撮影モード下において、背面表示部２２に表示される設定画面である。設定画面Ｄ５１では、上記第１実施形態の設定画面Ｄ１と同様に、例えば、シャッタスピードの設定項目および設定値が表示される。上記第１実施形態と同様に、設定画面５１に基づき、シャッタスピード／ＩＳＯ感度ダイヤル１６を操作することによりシャッタスピードを設定することができる。
【００８２】
上述したように、背面表示部２２による表示が設定画面Ｄ５１から設定画面Ｄ５２に変更された場合、設定画面Ｄ５２では、シャッタスピードの設定項目および設定値を変更前よりも拡大して表示する。図１３に示す例では、背面表示部２２のほぼ全画面に設定項目および設定値を表示している。このため、カメラ１０の撮影者、特に遠視の撮影者は、表示内容が見易くなり使い勝手が良い。なお、設定画面Ｄ５１から設定画面Ｄ５２へ変更し、所定時間経過後、設定画面Ｄ５１に戻してもよい。
【００８３】
［第６実施形態］
以下で説明する第６実施形態では、設定画面の変更として、異常操作の注意喚起を促す表示を行わせる。図１４に示すように、本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、背面表示部２２による表示を設定画面Ｄ６１から設定画面Ｄ６２に変更する。
【００８４】
設定画面Ｄ６１、Ｄ６２は、撮影モード下において、背面表示部２２に表示される設定画面である。設定画面Ｄ６１は、上記第１実施形態の設定画面Ｄ１と同様である。上述したように、背面表示部２２による表示が設定画面Ｄ６１から設定画面Ｄ６２に変更された場合、設定画面Ｄ６２では、異常操作の注意喚起を促す表示を行う。符号８１は、マニュアルモード下で、オートフォーカスに関する異常操作、例えばフォーカスエリアを設定した場合などに操作が以上であることを示す異常操作表示である。これにより、カメラ１０の撮影者、特に遠視の撮影者は、異常操作が行われたことを容易に認識することができる。
【００８５】
なお、注意喚起を促す異常操作としては、上記に限るものではなく、例えば、撮像されたデータを圧縮せずに画像を記録するＲＡＷモードの設定であるにも関わらず、連写設定の操作をした場合、あるいは、撮影条件が自動で設定されるオートモード下で、フラッシュ発光、ＩＳＯ感度、絞り値などをマニュアル操作した場合などでもよい。
【００８６】
［第７実施形態］
以下で説明する第７実施形態では、設定画面の変更として、マニュアルフォーカス時のフォーカスピーキングを太くする表示を行う。図１５に示すように、本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、背面表示部２２による表示を設定画面Ｄ７１から設定画面Ｄ７２に変更する。
【００８７】
設定画面Ｄ７１、Ｄ７２は、撮影モード、かつマニュアルモード下において、背面表示部２２に表示される設定画面である。設定画面Ｄ７１の被写体表示エリアＥＳには、上記第１実施形態の設定画面Ｄ１と同様に、固体撮像素子２１で撮像した被写体像であるライブビュー画像が表示される。上述したように、背面表示部２２による表示が設定画面Ｄ７１から設定画面Ｄ７２に変更された場合、設定画面Ｄ７２では、マニュアルフォーカス操作を行う際、フォーカスピーキング８３、すなわちフォーカスリング２７の回転操作によりピントが合っている部分の輪郭線を太く表示する。これにより、カメラ１０の撮影者、特に遠視の撮影者は、被写体像に対するフォーカス状態を容易に認識することができる。
【００８８】
また、フォーカス状態を認識するための設定画面の変更は、上記に限るものではなく、フォーカスエリア内の被写体像を拡大表示してもよい。また、上記第７実施形態と同様に、本体制御部５０は、視度調整ダイヤル２５によって設定されたファインダ部２４の視度値が視度調整ダイヤル２５により設定可能な範囲のうち、遠視側すなわち視度値が＋４ディオプター以上の特定範囲であって、かつ設定頻度が所定値未満である場合に、フォーカスエリア内の被写体像を拡大表示することが好ましい。
【００８９】
［第８実施形態］
上記第１〜第７実施形態では、カメラ１０の設定モードまたは撮影モード下で、背面表示部２２に表示させる設定画面について説明しているが、以下で説明する第８実施形態では、上述した設定モードおよび撮影モードとは異なる確認モード下で、視度調整ダイヤル２５によって設定された複数の視度値、および設定回数に基づく使用頻度を表示させる確認画面について例を上げる。
【００９０】
図１６は、確認モード下で、本体制御部５０が、視度調整ダイヤル２５によって設定された複数の視度値、および設定回数に基づく使用頻度を背面表示部２２に表示させる確認画面の一例である。なお、この確認画面Ｄ８１では使用頻度として、設定回数記憶部５９から読み出した視度値毎の設定回数を合計した全体の設定回数に対する各視度値の設定回数の割合（％）で表示している。この場合、本体制御部５０は、設定回数記憶部５９から視度値毎の設定回数を読み出す、読み出された視度値毎の設定回数から各視度値の使用頻度を算出する。また、確認画面Ｄ８１には、ＯＫボタン８５、リセットボタン８６が表示されている。なお、使用頻度としてはこれに限らず、所定時間当たりの設定回数でもよい。
【００９１】
確認モード下で、確認画面Ｄ８１を表示させた場合、例えば、リセットボタン８６を選択操作すると、設定回数記憶部５９に記憶された各視度値毎の設定回数がリセットされる。また、ＯＫボタン８５を選択操作すると、確認画面Ｄ８１の表示が終了する。
【００９２】
なお、確認モード下で表示させる確認画面については上記の例に限らず、図１７に示す確認画面Ｄ８２のように、視度調整ダイヤル２５によって設定された複数の視度値、および視度値毎の使用時間を表示させてもよい。この場合、本体制御部５０は、タイマを備え、ファインダ部２４の視度値毎に使用された使用時間をカウントし、視度値毎の使用時間を設定回数記憶部５９などに記憶させる。
【００９３】
上記各実施形態では、視度値検出部５８は、視度調整ダイヤル２５によって視度値が選択された後、所定時間が経過したことを条件としてファインダ部２４で視度値が設定された状態としているが、ファインダ部２４で視度値が設定された状態は、これに限るものではなく、視度値が選択された後、撮影が行われたこと、または視度値の選択とは異なる操作が行われたことを条件としてもよく、例えば、特開２０００−１０１５５号公報に記載されているように、視度値を設定する際、ユーザーの視度値に関する情報を読み出し、情報に応じた位置に視度調整レンズを駆動させたことを条件にしてもよい。あるいは、特開平５−１８３８００号公報に記載されているように、ユーザーの瞳情報と、視度設定操作部で設定された視度値とを関連付けて記憶し、ユーザーの瞳情報と一致する瞳情報が検出された場合に、関連付けて記憶された視度値を読み出して新たな視度値として設定してもよい。
【００９４】
上記各実施形態では、ミラーレス一眼タイプのデジタルカメラを例に説明したが、一眼レフタイプのデジタルカメラなどその他のレンズ交換型デジタルカメラにも適用してもよく、カメラ本体とレンズ鏡筒とを一体に設けたレンズ一体型のデジタルカメラに適用してもよい。
【符号の説明】
【００９５】
１０  レンズ交換式デジタルカメラ
１１  カメラ本体
１２  交換レンズ
１３  電源レバー
１４  レリーズスイッチ
１５  露出補正ダイヤル
１６  シャッタスピード／ＩＳＯ感度ダイヤル
１７  内蔵型フラッシュ装置
１８  フラッシュレバー
１９  マウント
１９Ａ  ボディ側信号接点
２１  固体撮像素子
２２  背面表示部
２３  操作ボタン
２４  ファインダ部
２４Ａ  視度調節ダイヤル
２４Ｂ  ファインダ接眼窓
２５  鏡筒部
２６  撮影光学系
２７  フォーカスリング
２８  絞り操作リング
２９  ズームリング
３０  レンズマウント
３０Ａ  レンズ側信号接点
３１  レンズ制御部
３２  モータドライバ
３３，３４  モータ
３６  ズーム機構
３７，３８  センサ
３９  フォーカスレンズ
４０  変倍レンズ
４１  絞りユニット
４１ａ  絞り羽根
５０  本体制御部
５１  シャッタユニット
５２  モータドライバ
５３  画像メモリ
５４  画像データ処理部
５５  ＡＦ処理部
５６  ＬＣＤドライバ4477
５７  カードＩ／Ｆ
５８  視度値検出部
５９  設定回数記憶部
６０  バスライン
６１  ＥＶＦパネル
６２  シャッタモータ
６２  メモリカード
６４  視度調節機構
６５  視度調節用レンズ
７１  シャッタスピード
７２  絞り値
７３Ａ  目盛り
７３Ｂ  指標
７４  ＩＳＯ感度
７５  枠
７６  傾き表示線
７８  音声ガイド部
８１  異常操作表示
８３  フォーカスピーキング
８５  ＯＫボタン
８６  リセットボタン
Ｄ１，Ｄ２１，Ｄ２２，Ｄ３１，Ｄ３２，Ｄ４１，Ｄ４２，Ｄ５１，Ｄ５２，Ｄ６１，Ｄ６２，Ｄ７１，Ｄ７２  設定画面
Ｄ８１，Ｄ８２  確認画面
ＥＳ  被写体表示エリア
ＥＣ  設定表示エリア
ＳＰ  サンプル画像
【図１】
0006454055.tif 000002
【図２】
0006454055.tif 000003
【図３】
0006454055.tif 000004
【図４】
0006454055.tif 000005
【図５】
0006454055.tif 000006
【図６】
0006454055.tif 000007
【図７】
0006454055.tif 000008
【図８】
0006454055.tif 000009
【図９】
0006454055.tif 000010
【図１０】
0006454055.tif 000011
【図１１】
0006454055.tif 000012
【図１２】
0006454055.tif 000013
【図１３】
0006454055.tif 000014
【図１４】
0006454055.tif 000015
【図１５】
0006454055.tif 000016
【図１６】
0006454055.tif 000017
【図１７】
0006454055.tif 000018